(57)【特許請求の範囲】
【請求項１】
有底筒状に構成されて筒壁に第１の係合部が設けられ、内容物を収容した容器本体と、
有頂筒状に構成されて筒壁に、前記第１の係合部に対して回転により係合可能な第２の係合部が設けられ、塗布体を備えた蓋体と、を具備し、
前記第１、第２の係合部同士が係合することにより前記容器本体に前記蓋体が着脱可能に装着され、前記蓋体の前記塗布体が前記容器本体内の前記内容物に進入する塗布体付き容器であって、
前記蓋体は、
有頂筒状に構成され使用者により回転操作される外栓と、
筒状に構成され前記外栓に対して軸線方向に移動不能且つ軸線周りに回転可能に係合すると共に、前記第２の係合部が設けられた内筒と、
前記塗布体を先端に有し軸線方向に移動可能とされ、被案内部を備えた移動体と、
前記移動体の前記被案内部を案内するための案内部と、
前記外栓又は前記内筒と前記移動体との間に介在し、前記案内部による前記被案内部の案内を可能とするように前記移動体を前記容器本体の底部側へ付勢する弾性体と、を備え、
前記内筒は、前記容器本体に対して前記外栓が取り外し方向へ回転操作され当該外栓が取り外し方向へ所定量回転すると、前記取り外し方向への前記外栓との共回りが可能となり、
前記塗布体は、前記容器本体に前記蓋体が前記第１、第２の係合部の係合により装着されている状態では、前記容器本体の前記底部から離間する後退限まで引き戻されている一方で、前記外栓が前記取り外し方向へ回転操作されると、前記移動体及び前記塗布体は、前記弾性体の付勢により前記被案内部が前記案内部に案内されながら前記底部側へ前進し、前記塗布体が前記容器本体の前記底部に当接した状態で、前記外栓と前記内筒が前記取り外し方向へ共回りし、
前記移動体は、前記外栓に対して軸線方向に移動可能且つ軸線周りに回転不能に係合し、
前記内筒は、前記案内部を有すると共に、前記容器本体に対して前記外栓が取り外し方向へ回転操作され当該外栓が取り外し方向へ所定量回転すると、前記外栓の一部に当接し前記取り外し方向への前記外栓との共回りを可能とするストッパを有し、
前記外栓が前記取り外し方向へ回転操作されると、前記移動体及び前記塗布体は、前記弾性体の付勢により前記被案内部が前記案内部に案内されながら前記底部側へ前進し、前記外栓の前記一部が前記内筒の前記ストッパに当接するまでに、前記塗布体が前記容器本体の前記底部に当接し、
前記外栓の前記一部が前記内筒の前記ストッパに当接する前の状態で、前記塗布体が前記容器本体の前記底部に当接し、前記外栓の前記一部が前記内筒の前記ストッパに当接するまで前記移動体は前進せずに前記塗布体はそのままの状態で回転することを特徴とする塗布体付き容器。
【請求項２】
有底筒状に構成されて筒壁に第１の係合部が設けられ、内容物を収容した容器本体と、
有頂筒状に構成されて筒壁に、前記第１の係合部に対して回転により係合可能な第２の係合部が設けられ、塗布体を備えた蓋体と、を具備し、
前記第１、第２の係合部同士が係合することにより前記容器本体に前記蓋体が着脱可能に装着され、前記蓋体の前記塗布体が前記容器本体内の前記内容物に進入する塗布体付き容器であって、
前記蓋体は、
有頂筒状に構成され使用者により回転操作される外栓と、
筒状に構成され前記外栓に対して軸線方向に移動不能且つ軸線周りに回転可能に係合すると共に、前記第２の係合部が設けられた内筒と、
前記塗布体を先端に有し軸線方向に移動可能とされ、被案内部を備えた移動体と、
前記移動体の前記被案内部を案内するための案内部と、
前記外栓又は前記内筒と前記移動体との間に介在し、前記案内部による前記被案内部の案内を可能とするように前記移動体を前記容器本体の底部側へ付勢する弾性体と、を備え、
前記内筒は、前記容器本体に対して前記外栓が取り外し方向へ回転操作され当該外栓が取り外し方向へ所定量回転すると、前記取り外し方向への前記外栓との共回りが可能となり、
前記塗布体は、前記容器本体に前記蓋体が前記第１、第２の係合部の係合により装着されている状態では、前記容器本体の前記底部から離間する後退限まで引き戻されている一方で、前記外栓が前記取り外し方向へ回転操作されると、前記移動体及び前記塗布体は、前記弾性体の付勢により前記被案内部が前記案内部に案内されながら前記底部側へ前進し、前記塗布体が前記容器本体の前記底部に当接した状態で、前記外栓と前記内筒が前記取り外し方向へ共回りし、
前記外栓は、前記案内部を有し、
前記内筒は、上下方向へ延び内外を連通するスリットを有し、
前記移動体は、前記被案内部が、前記内筒の前記スリットを通って前記外栓側へ突出し前記外栓の前記案内部に案内可能とされると共に、前記スリットにより前記内筒に対して軸線方向に移動可能且つ軸線周りに回転不能に係合し、
前記外栓は、前記容器本体に対して前記外栓が取り外し方向へ回転操作され当該外栓が取り外し方向へ所定量回転すると、前記被案内部が当接し前記取り外し方向への前記内筒との共回りを可能とするストッパを有し、
前記外栓が前記取り外し方向へ回転操作されると、前記移動体及び前記塗布体は、前記弾性体の付勢により前記被案内部が前記案内部に案内されながら前記底部側へ前進し、前記移動体の前記被案内部が前記外栓の前記ストッパに当接するまでに、前記塗布体が前記容器本体の前記底部に当接し、
前記被案内部が前記外栓の前記ストッパに当接する前の状態で、前記塗布体が前記容器本体の前記底部に当接し、前記被案内部が前記外栓の前記ストッパに当接するまで前記移動体は前進せずに前記塗布体はそのままの状態を維持することを特徴とする塗布体付き容器。
【請求項３】
前記外栓及び前記内筒の前記取り外し方向への共回りにより前記第１、第２の係合部の係合が解除された状態において、前記移動体及び前記塗布体はさらに前方の前進限まで前進することを特徴とする請求項１又は２記載の塗布体付き容器。
【請求項４】
前記案内部は、螺旋状の案内面を含み、
前記被案内部は、前記移動体の外周面に形成され、前記案内面上を前記弾性体に付勢されながら案内される突起であることを特徴とする請求項１〜３の何れか一項に記載の塗布体付き容器。
【請求項５】
前記第１、第２の係合部は、螺合部であることを特徴とする請求項１〜４の何れか一項に記載の塗布体付き容器。
【請求項６】
前記弾性体は、コイルバネであることを特徴とする請求項１〜５の何れか一項に記載の塗布体付き容器。
【発明の詳細な説明】
【技術分野】
【０００１】
本発明は、塗布体付き容器に関する。
【背景技術】
【０００２】
従来、例えばマスカラ等の液状化粧料容器にあっては、液状化粧料を収容する容器本体に対して、先端に塗布体を有する蓋体が着脱可能に装着されるが、塗布体が容器本体の底部に届かないため、液状化粧料全部を使い切ることはできなかった。
【０００３】
そこで、以下の特許文献１では、容器本体から蓋体を離脱させる回転操作に連動して塗布体（塗布具）が前進し、この前進により塗布体を容器本体の底部に届かせることによって、当該底部の内容物を保持させ、内容物の残量低減を図る塗布体付き容器が開示されている。
【先行技術文献】
【特許文献】
【０００４】
【特許文献１】特許第５７４５３０９号
【発明の概要】
【発明が解決しようとする課題】
【０００５】
ここで、上記塗布体付き容器にあっては、蓋体を離脱させる回転操作に従い、塗布体を上下方向（軸線方向）に移動させるための基部の装着突起が、下方へ傾斜する長孔の一方の端部から他方の端部へ移動することにより、塗布体が容器本体の底部側へ前進し、装着突起が、他方の端部側の突起規制部を乗り越え回転規制部に収まると共に突起規制部に係合し離脱が抑止された状態で、塗布体が容器本体の底部に当接又は圧接する構成となっている。従って、塗布体が容器本体の底部に当接又は圧接している状態（加圧されている状態）では、突起規制部により塗布体の上下方向の移動が規制されており、底部から塗布体に多大な負荷が作用し当該塗布体を傷めてしまい、場合によっては塗布体が変形してしまうという問題がある。また、特許文献１には、塗布体を容器本体の底部に近接させることも記載されているが、これでは、底部の内容物を十分に取ることはできない。
【０００６】
そこで、本発明は、塗布体を傷めないようにしつつ容器本体内の内容物を十分に使い切ることができる塗布体付き容器を提供することを目的としている。
【課題を解決するための手段】
【０００７】
本発明による塗布体付き容器は、有底筒状に構成されて筒壁に第１の係合部が設けられ、内容物を収容した容器本体と、有頂筒状に構成されて筒壁に、第１の係合部に対して回転により係合可能な第２の係合部が設けられ、塗布体を備えた蓋体と、を具備し、第１、第２の係合部同士が係合することにより容器本体に蓋体が着脱可能に装着され、蓋体の塗布体が容器本体内の内容物に進入する塗布体付き容器であって、蓋体は、有頂筒状に構成され使用者により回転操作される外栓と、筒状に構成され外栓に対して軸線方向に移動不能且つ軸線周りに回転可能に係合すると共に、第２の係合部が設けられた内筒と、塗布体を先端に有し軸線方向に移動可能とされ、被案内部を備えた移動体と、移動体の被案内部を案内するための案内部と、外栓又は内筒と移動体との間に介在し、案内部による被案内部の案内を可能とするように移動体を容器本体の底部側へ付勢する弾性体と、を備え、内筒は、容器本体に対して外栓が取り外し方向へ回転操作され当該外栓が取り外し方向へ所定量回転すると、取り外し方向への外栓との共回りが可能となり、塗布体は、容器本体に蓋体が第１、第２の係合部の係合により装着されている状態では、容器本体の底部から離間する後退限まで引き戻されている一方で、外栓が取り外し方向へ回転操作されると、移動体及び塗布体は、弾性体の付勢により被案内部が案内部に案内されながら底部側へ前進し、塗布体が容器本体の底部に当接した状態で、外栓と内筒が取り外し方向へ共回りすることを特徴としている。
【０００８】
このような塗布体付き容器によれば、容器本体に蓋体が第１、第２の係合部の係合により装着されている状態では、塗布体は、容器本体内の内容物に進入すると共に容器本体の底部から離間した状態にあり、蓋体を構成する外栓が使用者により取り外し方向へ回転操作されると、弾性体の付勢により移動体の被案内部が案内部に案内されながら、移動体及び塗布体が容器本体の底部側へ前進し、塗布体が容器本体の底部に当接する。そして、塗布体が容器本体の底部に当接した状態で、外栓と内筒が取り外し方向へ共回りし、容器本体の第１の係合部と内筒の第２の係合部の係合が解除されて蓋体が容器本体から取り外され、塗布体が使用に供される。このように、容器本体の底部から離間している塗布体は、蓋体の取り外しに際し前進して底部に当接するため、容器本体内の内容物を十分に使い切ることができる。また、塗布体が底部に当接している状態において当該塗布体に底部から作用する負荷は、塗布体を底部側へ付勢している弾性体の緩衝作用により吸収されるため、塗布体を傷めないようにすることができる。
【０００９】
ここで、上記作用を好適に奏する構成としては、具体的には、移動体は、外栓に対して軸線方向に移動可能且つ軸線周りに回転不能に係合し、内筒は、案内部を有すると共に、容器本体に対して外栓が取り外し方向へ回転操作され当該外栓が取り外し方向へ所定量回転すると、外栓の一部に当接し取り外し方向への外栓との共回りを可能とするストッパを有し、外栓が取り外し方向へ回転操作されると、移動体及び塗布体は、弾性体の付勢により被案内部が案内部に案内されながら底部側へ前進し、外栓の一部が内筒のストッパに当接するまでに、塗布体が容器本体の底部に当接する構成が挙げられる。このような構成によれば、外栓が使用者により取り外し方向へ回転操作されると、弾性体の付勢により移動体の被案内部が内筒の案内部により案内されながら、移動体及び塗布体が容器本体の底部側へ前進し、回転する外栓の一部が、共回りを可能とする内筒のストッパに当接するまでに、塗布体が底部に当接する。そして、さらなる外栓の取り外し方向への回転により、外栓と内筒が取り外し方向へ共回りし、容器本体の第１の係合部と内筒の第２の係合部の係合が解除されて蓋体が容器本体から取り外され、塗布体が使用に供されるようになる。
【００１０】
また、外栓の一部が内筒のストッパに当接する前の状態で、塗布体が容器本体の底部に当接し、外栓の一部が内筒のストッパに当接するまで移動体は前進せずに塗布体はそのままの状態で回転する構成であると、塗布体は底部に当接している状態で潰れないため、塗布体を傷めないようにすることができる。
【００１１】
また、上記作用を好適に奏する構成としては、具体的には、外栓は、案内部を有し、内筒は、上下方向へ延び内外を連通するスリットを有し、移動体は、被案内部が、内筒のスリットを通って外栓側へ突出し外栓の案内部に案内可能とされると共に、スリットにより内筒に対して軸線方向に移動可能且つ軸線周りに回転不能に係合し、外栓は、容器本体に対して外栓が取り外し方向へ回転操作され当該外栓が取り外し方向へ所定量回転すると、被案内部が当接し取り外し方向への内筒との共回りを可能とするストッパを有し、外栓が取り外し方向へ回転操作されると、移動体及び塗布体は、弾性体の付勢により被案内部が案内部に案内されながら底部側へ前進し、移動体の被案内部が外栓の前記ストッパに当接するまでに、塗布体が容器本体の底部に当接する構成も挙げられる。このような構成によれば、外栓が使用者により取り外し方向へ回転操作されると、弾性体の付勢により移動体の被案内部が内筒のスリット及び外栓の案内部により案内されながら、移動体及び塗布体が容器本体の底部側へ前進し、移動体の被案内部が、共回りを可能とする外栓のストッパに当接するまでに、塗布体が底部に当接する。そして、さらなる外栓の取り外し方向への回転により、外栓と内筒が取り外し方向へ共回りし、容器本体の第１の係合部と内筒の第２の係合部の係合が解除されて蓋体が容器本体から取り外され、塗布体が使用に供されるようになる。
【００１２】
ここで、被案内部が外栓のストッパに当接する前の状態で、塗布体が容器本体の底部に当接し、被案内部が外栓のストッパに当接するまで移動体は前進せずに塗布体はそのままの状態を維持する構成であると、塗布体は底部に当接している状態で潰れないため、塗布体を傷めないようにすることができる。
【００１３】
また、外栓及び内筒の取り外し方向への共回りにより第１、第２の係合部の係合が解除された状態において、移動体及び塗布体はさらに前方の前進限まで前進する構成であると、さらに前進限まで前進した塗布体が容器本体内において傾くように蓋体の外栓が使用者により動かされることによって、塗布体を底部の隅々まで当接させることができ、容器本体内の内容物を一層十分に使い切ることができる。また、容器本体の大きさ以上に使用時の塗布体の前進限を設定できるため、設計の自由度を高めることができ、汎用性が高い塗布体付き容器とすることができる。
【００１４】
また、上記作用を好適に奏する案内部、被案内部の構成としては、具体的には、案内部は、螺旋状の案内面を含み、被案内部は、移動体の外周面に形成され、案内面上を弾性体に付勢されながら案内される突起である構成が挙げられる。
【００１５】
また、上記作用を好適に奏する第１、第２の係合部の構成としては、具体的には、螺合部が挙げられる。
【００１６】
また、上記作用を好適に奏する弾性体としては、具体的には、コイルバネが挙げられる。
【発明の効果】
【００１７】
このように本発明によれば、塗布体を傷めないようにしつつ容器本体内の内容物を十分に使い切ることができる塗布体付き容器を提供できる。
【図面の簡単な説明】
【００１８】
【図１】本発明の実施形態に係る塗布体付き容器を示す縦断面図である。
【図２】図１の状態から外栓が取り外し方向へ回転操作され塗布体が容器本体の底部に当接した状態を示す縦断面図である。
【図３】図２の状態から外栓がさらに取り外し方向へ回転操作され容器本体と蓋体との係合が解除された状態を示す縦断面図である。
【図４】図３の状態から塗布体を容器本体から抜き出し使用に供する際の状態を示す縦断面図である。
【図５】図１中の容器本体を示す斜視図である。
【図６】図１中の掻き取り部材を示す縦断面図である。
【図７】図１中の外栓を示す斜視図である。
【図８】図７に示す外栓の下面図である。
【図９】図１中の内筒を示す斜視図である。
【図１０】図９に示す内筒に隠れ線を追加した斜視図である。
【図１１】図１０に示す内筒を裏側から見た斜視図である。
【図１２】図１１に示す内筒の破断斜視図である。
【図１３】図１中の移動体を示す斜視図である。
【図１４】図１３に示す移動体の平面図である。
【図１５】図１の状態において外栓及び内筒のストッパ同士が当接している状態を示す平面断面図である。
【図１６】図１５の状態から外栓が取り外し方向へ回転操作されている状態を示す平面断面図である。
【図１７】図１６の状態から外栓がさらに取り外し方向へ回転操作され外栓のストッパが内筒のストッパに当接した状態を示す平面断面図である。
【図１８】図１の状態において内筒の案内部に対する移動体の被案内部の位置を示す模式図である。
【図１９】図１８の状態から外栓が取り外し方向へ回転操作され塗布体が容器本体の底部に当接したときの内筒の案内部に対する移動体の被案内部の位置を示す模式図である。
【図２０】図１９の状態から外栓がさらに取り外し方向へ回転操作され外栓のストッパが内筒のストッパに当接したときの内筒の案内部に対する移動体の被案内部の位置を示す模式図である。
【図２１】図２０の状態から外栓がさらに取り外し方向へ回転操作され容器本体と蓋体との係合が外れたときの内筒の案内部に対する移動体の被案内部の位置を示す模式図である。
【発明を実施するための形態】
【００１９】
以下、添付図面を参照しながら、本発明の実施形態について詳細に説明する。
【００２０】
図１〜図４は、本発明の実施形態に係る塗布体付き容器の状態をそれぞれ示す縦断面図、図５は、容器本体を示す斜視図、図６は、掻き取り部材を示す縦断面図、図７及び図８は、外栓を示す各図、図９〜図１２は、内筒を示す各図、図１３及び図１４は、移動体を示す各図、図１５〜図１７は、外栓のストッパと内筒のストッパの位置関係を状態に応じてそれぞれ示す平面断面図、図１８〜図２１は、内筒の案内部に対する移動体の被案内部の位置関係を状態に応じてそれぞれ示す模式図である。
【００２１】
本実施形態の塗布体付き容器は、容器本体内に収容した内容物を使用者により適宜被塗布部に塗布できるものであり、ここでは、特に好適であるとして、塗布体付き液状化粧料容器（以下単に液状化粧料容器と呼ぶ）として説明する。また、内容物である液状化粧料は、ここでは、特に好適であるとして、マスカラとされているが、例えば、口紅、チーク、アイライナーやアイブロウ等の他の液状化粧料を用いることもできる。
【００２２】
図１に示すように、液状化粧料容器１００は、液状化粧料Ｌを収容する容器本体１と、容器本体１に着脱自在に装着されると共に、装着時に容器本体１内に進入する塗布体７を備えた蓋体２と、を概略具備している。
【００２３】
容器本体１は、図１及び図５に示すように、液状化粧料Ｌを収容するための収容部３と、収容部３の上部に一体に連設され当該収容部３に繋がる開口頚部４と、を備える。
【００２４】
収容部３は、有底円筒状に構成され、その内部に液状化粧料Ｌを収容し、開口頚部４は、収容部３より小径の円筒状に構成されて同軸に配置されると共に、収容部３の上端部の縮径する段差部（肩部）を介して繋がり、その筒内が収容部３内に連通している。開口頚部４には、その筒壁の外周面に、蓋体２を着脱自在に装着するための雄螺子（螺合部）５が第１の係合部として形成される。この開口頚部４には、掻き取り部材６が装着される。
【００２５】
掻き取り部材６は、例えばゴム等の弾性材より成り略円筒状に構成され、図１及び図６に示すように、その上端に円環状の鍔部８を有すると共に、その下部側の外周面に円環状の大径の段差部（鍔部）９を有する。掻き取り部材６は底部を有しており、底部の略中央には、塗布体７が通過し当該塗布体７に付着する余分な液状化粧料Ｌを掻き取る（削ぎ落とす）ための掻き取り孔１０が設けられる。
【００２６】
そして、掻き取り部材６は、図１に示すように、容器本体１の開口頚部４の上方から圧入され、その鍔部８と段差部９との間に、開口頚部４を軸線方向に挟むようにして、開口頚部４に装着される。
【００２７】
蓋体２は、容器本体１の蓋（キャップ）として機能すると共に使用者に把持されて回転操作される外栓１１と、外栓１１に係合すると共に容器本体１に対して着脱可能に係合する内筒１２と、塗布体７を先端に有し外栓１１の回転に応じて蓋体２の軸線方向に移動する長尺な移動体１３と、移動体１３を容器本体１の底部１４側（下方）へ付勢する弾性体１５と、を備える。
【００２８】
外栓１１は、図７及び図８に示すように、有頂円筒状に構成され、円板状の頂部の略中央に、開放端側へ向かって突出する円筒状の突出部１６を備える。突出部１６は、その内部が弾性体１５を収容する領域とされる（図１参照）。突出部１６の外周面には、軸線方向（上下方向）に延び、移動体１３を回転方向に係合するための突条１７が形成される。突条１７は、突出部１６の外周面の対向する位置に一対が設けられる。
【００２９】
外栓１１の頂部の内周縁（頂部と円筒部が接する部分）には、図７、図８及び図１５に示すように、蓋体２を取り外す際の回転方向Ａ（図７及び図１５の平面視での反時計回り；以下単に取り外し方向Ａと呼ぶ）の下流側（矢印Ａの先側）に、外栓の一部を構成するストッパ１８が設けられる。ストッパ１８は、外栓１１の取り付け方向Ｂ（平面視での時計回り；図１５参照）への一定以上の回転操作を阻止する一方で、外栓１１が取り外し方向Ａへ所定量以上回転操作されると内筒１２を取り外し方向Ａへ共回りさせるものであり（詳しくは後述）、軸線方向に短尺に延びる略直方体状の凸部とされている。
【００３０】
外栓１１の頂部の内周縁で、ストッパ１８より取り外し方向Ａの上流側へ多少離間した位置には、軸線方向に短尺に延びる凸状のリブ１９が設けられる。リブ１９は、ストッパ１８より小さい略半円柱状の凸部である。このリブ１９は、外栓１１の回転操作力により内筒１２に離脱可能に係合すると共に、係合時にクリック感を与えるためのものである。これらのストッパ１８及びリブ１９は、平面視において外栓１１の軸心を中心とした点対称の位置に配置され、対を成す構成となっている。また、外栓１１の開口端側の内周面には、内筒１２を軸線方向に係合するための凸部２０（図１参照）が円環状に設けられる。
【００３１】
内筒１２は、図９〜図１２及び図１５に示すように、略円筒状に構成され、一部の上端面から上方へそのまま円弧状を成し突出するストッパ２１を備える。ストッパ２１の外周面で取り外し方向Ａの下流寄りの位置（取り付け方向Ｂの上流寄りの位置）には、外栓１１のリブ１９を周方向に係合するための凹部２４が設けられる。このストッパ２１は、平面視において内筒１２の軸心を中心とした点対称の位置に配置され、対を成す構成となっている。
【００３２】
内筒１２のストッパ２１の周方向の端面で取り外し方向Ａの下流側の端面２２は、外栓１１が取り付け方向Ｂへ一定以上回転操作されると、外栓１１の一方のストッパ１８が当接し外栓１１のそれ以上の回転を阻止し、内筒１２のストッパ２１の周方向の端面で取り外し方向Ａの上流側の端面２３は、外栓１１が取り外し方向Ａへ所定量以上回転操作されると、外栓１１の他方のストッパ１８が当接し取り外し方向Ａへの外栓１１との共回りを可能とするものである。
【００３３】
内筒１２の内周面の上半部には、移動体１３を案内するための案内部２５が形成される。案内部２５は、一方のストッパ１８の端面２２寄りの位置が基端となって螺旋状を成し略半周延びる第１の案内面（スロープ）２６と、第１の案内面２６の終端から上方へ垂直に延びる第２の案内面２７と、を備える、この案内部２５は、平面視において内筒１２の軸心を中心とした点対称の形状となっている。
【００３４】
内筒１２の軸線方向の下部側の内周面には、図１及び図１２に示すように、蓋体２を容器本体１に装着したときに、掻き取り部材６の上面に当接する当接部２８が内側へ張り出すように設けられる。この当接部２８の略中央には、移動体１３の後述の軸部３５を通すための貫通孔２９が設けられる。
【００３５】
内筒１２の筒壁の下部の内周面には、開口頚部４の雄螺子５に対して螺合する雌螺子（螺合部）３０を第２の係合部として備える。また、内筒１２の下部の外周面には、図１、図９及び図１２に示すように、外栓１１の凸部２０に軸線方向に係合する凹部３１が円環状に設けられる。なお、内筒１２の当接部２８の位置より外側の外周面には、Ｏリング溝３３が円環状に設けられ、気密用のＯリング３２（図１参照）が装着される。
【００３６】
移動体１３は、図１３及び図１４に示すように、外栓１１に回転方向に係合する基部３４と、基部３４の下端中央に連設されて下方へ長尺に延びる軸部３５と、軸部３５の先端に設けられた塗布体７と、を備える。
【００３７】
基部３４は、有底円筒状に構成されており、その内周面には、軸線方向に延び外栓１１の突出部１６の突条１７に回転方向に係合される溝部３６がそれぞれ設けられる。また、基部３４の外周面には、内筒１２の案内部２５に案内される被案内部３７がそれぞれ設けられる。被案内部３７は、基部３４の外周面の対向する位置に一対が設けられる。この被案内部３７は、ここでは、特に好ましいとして、螺旋を短尺にした傾斜突起とされているが、例えば円柱状等の突起であっても良い。
【００３８】
また、基部３４の底部の中央には、弾性体１５（図１参照）をガイドするためのガイド部３８が上方へ短尺に突出するように設けられる。
【００３９】
軸部３５は、基部３４より小径の円柱体を成し、内筒１２の貫通孔２９及び掻き取り部材６の掻き取り孔１０を通過する構成とされている。
【００４０】
塗布体７は、液状化粧料Ｌがマスカラのため、ここでは、マスカラブラシとされているが、マスカラ以外の他の液状化粧料を用いた場合には、例えば、スパチュラ、刷毛、毛筆、コームやチップ等を用いることができる。
【００４１】
図１に示すように、弾性体１５は、ここでは、特に好ましいとして、コイルバネとしているが、複数枚の板バネを積層したものでも良く、また、樹脂バネ等であっても良い。
【００４２】
このような弾性体１５は、図１に示すように、移動体１３の基部３４内にガイド部３８を囲繞するように配置され、移動体１３が、内筒１２の上方から進入することにより、図１８に示すように、その被案内部３７が、内筒１２の案内部２５の第１の案内面２６に載置されると共に、図１に示すように、その塗布体７及び軸部３５が、内筒１２の貫通孔２９に通される。内筒１２は、その上端側から外栓１１に内挿され、移動体１３は、その基部３４の溝部３６が、外栓１１の突出部１６の突条１７に進入し回転方向に係合することにより、外栓１１に軸線方向に移動可能且つ軸線周りに回転不能に装着されると共に、内筒１２は、その凹部３１が、外栓１１の凸部２０に軸線方向に係合することにより、外栓１１に回転可能且つ軸線方向に移動不能に装着される、この状態で、弾性体１５は、外栓１１の突出部１６内に収容されると共に、外栓１１の頂部と移動体１３の基部３４の底部との間に介在し、移動体１３は下方へ付勢されている。
【００４３】
そして、蓋体２が容器本体１に対して完全に締められた図１に示す初期状態にあっては、容器本体１の雄螺子５と蓋体２の内筒１２の雌螺子３０とが螺合限まで螺合し、塗布体７及び軸部３５は、掻き取り部材６の掻き取り孔１０を通して容器本体１の収容部３内に進入し、塗布体７は、収容部３に貯留されている液状化粧料Ｌに浸漬した状態になっている。
【００４４】
この状態では、図１５に示すように、外栓１１のストッパ１８が、内筒１２のストッパ２１の一方（取り外し方向Ａの下流側）の端面２２に当接し、外栓１１のそれ以上の取り付け方向Ｂへの回転が阻止されていると共に、外栓１１のリブ１９が、内筒１２の凹部２４に係合し、外栓１１の取り外し方向Ａへの回転が抑制（阻止）されている。この状態で、移動体１３の被案内部３７は、図１８に示すように、案内部２５の第１の案内面２６の上端辺りの初期位置Ｓに位置した状態にある。そして、図１５及び図１８に示す初期状態では、塗布体７は、図１に示すように、後退限まで引き戻されており（後退限に位置し）、塗布体７の先端は、容器本体１の底部１４から所定長離間した状態にある。
【００４５】
この状態から、使用者は、蓋体２を取り外すべく容器本体１と蓋体２の外栓１１を持ち、外栓１１を取り外し方向Ａへ回転操作する。すると、容器本体１の雄螺子５と蓋体２の内筒１２の雌螺子３０とは螺合限まで締められ強く係合しているため、内筒１２が容器本体１に螺合した状態で、外栓１１が取り外し方向Ａへ回転し、外栓１１のリブ１９と内筒１２の凹部２４との係合が解除されると同時に、外栓１１と移動体１３とが取り外し方向Ａへ同期回転する。この同期回転に従い、移動体１３の被案内部３７が、弾性体１５の付勢により、内筒１２の第１の案内面２６に押し付けられ案内されながら初期位置Ｓから下降していき、移動体１３及び塗布体７が前進していく（底部１４へ近付いていく）。
【００４６】
そして、図２に示すように、塗布体７の先端が底部１４に当接する。この状態では、図１９に示すように、被案内部３７は、第１の案内面２６の終端より手前の途中位置Ｃに位置し、図１６に示すように、外栓１１のストッパ１８は、内筒１２のもう一方のストッパ２１の他方（取り外し方向Ａの上流側）の端面２３に達していない状態にある。
【００４７】
この状態で、さらに外栓１１の取り外し方向Ａへの回転操作が続けられ、このとき、上述のように塗布体７は底部１４に当接しているため、塗布体７及び移動体１３は前進せず、塗布体７及び移動体１３はそのままの状態で回転し、図１９に矢印で示すように、被案内部３７は第１の案内面２６から離れ位置Ｃから周方向に沿って平行移動する。
【００４８】
そして、さらに外栓１１の取り外し方向Ａへの回転操作が続けられ、図１７に示すように、外栓１１のストッパ１８が、内筒１２のもう一方のストッパ２１の他方の端面２３に達すると、図２０に示すように、被案内部３７は、案内部２５の第２の案内面２７の位置Ｄへ達した状態になる。
【００４９】
この状態で、さらに外栓１１の取り外し方向Ａへの回転操作が続けられ、外栓１１のストッパ１８により内筒１２のストッパ２１が回転方向に押され一体的に取り外し方向Ａへ回転する。
【００５０】
すると、外栓１１及び内筒１２の取り外し方向Ａへの回転により、容器本体１の雄螺子５と蓋体２の内筒１２の雌螺子３０の螺合が解除されていき、外栓１１は引き上げられていく。この引き上げられていく間、塗布体７は、弾性体１５の付勢により底部１４に当接するように前進する。すなわち、塗布体７の底部１４に対する当接を維持しながら、外栓１１が引き上げられていく。この螺合が解除されていく状態では、被案内部３７は第２の案内面２７に沿って図２０の位置Ｄよりさらに下降していく。
【００５１】
そして、螺合が完全に解除されると、図２１に示すように、弾性体１５の付勢により被案内部３７は第２の案内面２７の下端であると共に第１の案内面２６の終端位置Ｅに達し、塗布体７は前進限に達する。このように螺合が完全に解除されて塗布体７が前進限まで達し、図３に示すように、外栓１１を容器本体１の開口頚部４から完全に外していない状態にあっては、使用者は、前進限にある塗布体７が容器本体１内において傾くように蓋体２の外栓１１を動かしながら、塗布体７を底部１４の隅々まで当接させることができ、液状化粧料Ｌを十分に取ることができる。なお、図３では、図１、図２及び図４の一連の説明の都合上、これらの図面と同様に、液状化粧料Ｌが容器本体１内に十分に満たされているが、図３のように塗布体７により隅々まで掻き取るのは、液状化粧料Ｌが底部１４近くまで消費されたときである。
【００５２】
そして、このように塗布体７が底部１４に当接している図２及び図３の状態にあっては、底部１４から塗布体７に作用する負荷は、弾性体１５の緩衝作用により吸収される。
【００５３】
次いで、使用者は、図４に示すように、蓋体２を容器本体１から取り外して塗布体７を抜き出し、前進し前進限に位置した塗布体７によって、被塗布部への塗布を行う。
【００５４】
塗布体７による被塗布部への塗布が終わり、蓋体２を容器本体１に装着する場合には、使用者は、前進限に位置している塗布体７を容器本体１内へ進入させる。すると、塗布体７の先端が底部１４に当接し、この状態で、使用者は、図１７に示す状態にある外栓１１を取り付け方向Ｂへ回転操作する。このとき、被案内部３７は、弾性体１５の付勢により、図２１に示すように、第１の案内面２６の終端である上り坂の坂下位置Ｅへ押し付けられているため、外栓１１及び移動体１３と共に内筒１２が取り付け方向Ｂへ共回りし、容器本体１の雄螺子５と蓋体２の内筒１２の雌螺子３０が螺合していく。
【００５５】
なお、ここでは、前述したように、外栓１１と内筒１２との間にＯリング３２が介装されており、このＯリング３２により、外栓１１と内筒１２との間に適度な摩擦抵抗を生じさせ、外栓１１及び内筒１２の取り付け方向Ｂへの共回りを補完するようにしている。
【００５６】
そして、雄螺子５と雌螺子３０が螺合していくと、底部１４へ塗布体７が押されていくため、被案内部３７は、弾性体１５の付勢に抗して、図２１に示す位置Ｅと図２０に示す位置Ｄとの間の位置へと押し上げられていき、雌螺子３０と雄螺子５が螺合限に達し螺合が完了すると、被案内部３７は、図２０に示す位置Ｄへ達する。
【００５７】
この状態で、外栓１１の取り付け方向Ｂへの回転操作が続けられ、このとき、上述のように雌螺子３０と雄螺子５とが螺合限に達しているため、内筒１２が容器本体１に螺合した状態で、外栓１１及び移動体１３が取り付け方向Ｂへ回転し、被案内部３７は、図２０に示す位置Ｄから周方向に沿って平行移動し、図１９に示す位置Ｃに達し第１の案内面２６に達する。
【００５８】
この状態（図２に示す状態）で、外栓１１の取り付け方向Ｂへの回転操作が続けられ、被案内部３７は、弾性体１５の付勢により第１の案内面２６に押し付けられ案内されながら上昇していき、移動体１３が後退していく。この移動体１３の後退により、塗布体７が底部１４から離間していく。
【００５９】
そして、外栓１１の取り付け方向Ｂへの回転操作がさらに続けられることにより、被案内部３７が、図１８に示す初期位置Ｓに達し、図１５に示すように、外栓１１のストッパ１８が、内筒１２のストッパ２１の端面２２に当接し、外栓１１のそれ以上の取り付け方向Ｂへの回転が阻止される。これと同時に、外栓１１のリブ１９が内筒１２の凹部２４に係合してクリック感が生じ、使用者に、蓋体２が完全に締まり切ったことが認識される。この状態で、塗布体７は、後退限まで引き戻され、図１に示す状態となる。
【００６０】
なお、回転トルクの設定によっては、外栓１１の取り付け方向Ｂへの回転操作による雄螺子５、雌螺子３０の螺合に伴って摩擦抵抗が生じ、この摩擦抵抗により内筒１２と外栓１１とが共回りせずに相対回転し始め、雄螺子５、雌螺子３０が螺合しながら塗布体７が後退限まで引き戻される構成とすることもできる。
【００６１】
このように、本実施形態においては、容器本体１に蓋体２が雄螺子５及び雌螺子３０の螺合により装着されている状態では、塗布体７は、容器本体１内の液状化粧料Ｌに浸漬すると共に容器本体１の底部１４から離間した状態にあり、蓋体２を構成する外栓１１が使用者により取り外し方向Ａへ回転操作されると、弾性体１５の付勢により移動体１３の被案内部３７が案内部２５に案内されながら、移動体１３及び塗布体７が容器本体１の底部１４側へ前進し、塗布体７が容器本体１の底部１４に当接する。そして、塗布体７が容器本体１の底部１４に当接した状態で、外栓１１と内筒１２が取り外し方向へ共回りし、容器本体１の雄螺子５と内筒１２の雌螺子３０の螺合が解除されて蓋体２が容器本体１から取り外され、塗布体７が使用に供される。このように、容器本体１の底部１４から離間している塗布体７は、蓋体２の取り外しに際し前進して底部１４に当接するため、容器本体１内の液状化粧料Ｌを十分に使い切ることができる。また、塗布体７が底部１４に当接している状態において当該塗布体７に底部１４から作用する負荷は、塗布体７を底部１４側へ付勢している弾性体１５の緩衝作用により吸収されるため、塗布体７を傷めないようにすることができる。
【００６２】
より、具体的には、移動体１３は、外栓１１に対して軸線方向に移動可能且つ軸線周りに回転不能に係合し、内筒１２は、案内部２５を有すると共に、容器本体１に対して外栓１１が取り外し方向へ回転操作され当該外栓１１が取り外し方向へ所定量回転すると、外栓１１の一部であるストッパ１８に当接し取り外し方向への外栓１１との共回りを可能とするストッパ２１を有し、外栓１１が取り外し方向へ回転操作されると、移動体１３及び塗布体７は、弾性体１５の付勢により被案内部３７が案内部２５に案内されながら底部１４側へ前進し、外栓の一部であるストッパ１８が内筒１２のストッパ２１に当接するまでに、塗布体７が容器本体１の底部１４に当接する構成を採用しているため、外栓１１が使用者により取り外し方向へ回転操作されると、弾性体１５の付勢により移動体１３の被案内部３７が内筒１２の案内部２５により案内されながら、移動体１３及び塗布体７が容器本体１の底部１４側へ前進し、回転する外栓１１の一部であるストッパ１８が、共回りを可能とする内筒１２のストッパ２１に当接するまでに、塗布体７が底部１４に当接し、さらなる外栓１１の取り外し方向への回転により、外栓１１と内筒１２が取り外し方向へ共回りし、容器本体１の雄螺子５と内筒１２の雌螺子３０の螺合が解除されて蓋体２が容器本体１から取り外され、塗布体７が使用に供されるようになっている。このため、上記作用・効果、すなわち、容器本体１の底部１４から離間している塗布体７が、蓋体２の取り外しに際し前進して底部１４に当接し、容器本体１内の液状化粧料Ｌを十分に使い切ることができると共に、塗布体７が底部１４に当接している状態において当該塗布体７に底部１４から作用する負荷は、塗布体７を底部１４側へ付勢している弾性体１５の緩衝作用により吸収され、塗布体７を傷めないようにすることができるという作用・効果を好適に奏することができる。
【００６３】
また、本実施形態においては、外栓１１のストッパ１８が内筒１２のストッパ２１に当接する前の状態で、塗布体７が底部１４に当接し、外栓１１のストッパ１８が内筒１２のストッパ２１に当接するまで移動体１３は前進せずに塗布体７はそのままの状態で回転するため、塗布体７は底部１４に当接している状態であるが潰れることはなく、塗布体７を傷めないようにすることができる。
【００６４】
また、外栓１１及び内筒１２の取り外し方向Ａへの共回りにより、雄螺子５及び雌螺子３０の螺合が解除された状態において、移動体１３及び塗布体７はさらに前方の前進限まで前進するため、前進限まで前進した塗布体７が容器本体１内において傾くように蓋体２の外栓１１が使用者により動かされることによって、塗布体７を底部１４の隅々まで当接させることができ、容器本体１内の液状化粧料Ｌを一層十分に使い切ることができる。また、容器本体１の大きさ以上に使用時の塗布体７の前進限を設定できるため、設計の自由度を高めることができ、汎用性が高い液状化粧料容器とすることができる。
【００６５】
なお、この実施形態では、特に好ましいとして、蓋体２を容器本体１から取り外すと（螺合を解除すると）、塗布体７が前進限までさらに前進するようにしているが、塗布体７が容器本体１の底部１４に当接した位置を塗布体７の前進限としても良い。このように塗布体７が底部１４へ当接するとそれ以上は前進しない構成であっても、前進する場合と同様に、容器本体１の底部１４から離間している塗布体７は、蓋体２の取り外しに際し前進して底部１４に当接するのは変わりがないため、容器本体１内の液状化粧料Ｌを十分に使い切ることができると共に、塗布体７が底部１４に当接している状態において底部１４から塗布体７に作用する負荷は、塗布体７を底部１４側へ付勢している弾性体１５の緩衝作用により吸収されるため、塗布体７を傷めることを防止できる。
【００６６】
ここで、他の実施形態として、以下の構成を採用することもできる。すなわち、外栓１１の突出部１６をなくすと共に、内筒１２のストッパ２１及び外栓１１のストッパ１８をなくし、内筒１２の案内部２５を外栓１１の内周面に移設し、内筒１２に、新たに、上下方向へ延び内外を連通するスリットを設け、移動体１３の被案内部３７を、内筒１２のスリットを通して外栓１１側へ突出させて、外栓１１に移設した案内部２５に案内可能に載置すると共に、当該スリットにより移動体１３を内筒１２に対して軸線方向に移動可能且つ軸線周りに回転不能に係合する構成とする。また、外栓１１が、容器本体１に対して外栓１１が取り外し方向へ回転操作され当該外栓１１が取り外し方向へ所定量回転すると、被案内部３７が当接し取り外し方向への内筒１２との共回りを可能とするストッパを上記実施形態とは別に有する構成とする。ストッパは、ここでは、案内部２５の第２の案内面２７とされる。
【００６７】
このような塗布体付き容器によれば、塗布体７が容器本体１の底部１４から離間した状態において（図１参照）、使用者は、蓋体２を取り外すべく容器本体１と蓋体２の外栓１１を持ち、外栓１１を取り外し方向Ａへ回転操作する。すると、容器本体１の雄螺子５と蓋体２の内筒１２の雌螺子３０とは螺合限まで締められ強く係合しているため、内筒１２が容器本体１に螺合した状態で、外栓１１が取り外し方向Ａへ回転し、内筒１２及び移動体１３が回転しない状態で、移動体１３の被案内部３７が、外栓１１の案内部２５及び内筒１２のスリットに案内されながら、弾性体１５の付勢力により移動体１３及び塗布体７が前進していき、塗布体７の先端が底部１４に当接する（図２参照）。この状態では、図１９に示すように、被案内部３７は、第１の案内面２６の終端より手前の途中位置Ｃに位置している。
【００６８】
この状態で、さらに外栓１１の取り外し方向Ａへの回転操作が続けられ、このとき、上述のように塗布体７は底部１４に当接しているため、塗布体７及び移動体１３は前進せず、塗布体７はそのままの状態（回転せず）を維持し、案内部２５を有する外栓１１のみが取り外し方向Ａへ回転する。
【００６９】
すると、図２０に示すように、被案内部３７は、外栓１１のストッパである案内部２５の第２の案内面２７に当接し、この状態で、さらに外栓１１の取り外し方向Ａへの回転操作が続けられ、外栓１１と内筒１２が共回りし、一体的に取り外し方向Ａへ回転する。
【００７０】
すると、外栓１１及び内筒１２の取り外し方向Ａへの回転により、容器本体１の雄螺子５と蓋体２の内筒１２の雌螺子３０の螺合が解除されていき、外栓１１は引き上げられていく。この引き上げられていく間、塗布体７は、弾性体１５の付勢により底部１４に当接するように前進する。すなわち、塗布体７の底部１４に対する当接を維持しながら、外栓１１が引き上げられていく。この螺合が解除されていく状態では、被案内部３７は第２の案内面２７及びスリットに沿って図２０の位置Ｄよりさらに下降していく。
【００７１】
そして、螺合が完全に解除されると、図２１に示すように、弾性体１５の付勢により被案内部３７は第２の案内面２７の下端であると共に第１の案内面２６の終端位置Ｅ及びスリットの下端に達し、塗布体７は前進限に達する。このように螺合が完全に解除されて塗布体７が前進限まで達し、外栓１１を容器本体１の開口頚部４から完全に外していない状態にあっては、使用者は、前進限にある塗布体７が容器本体１内において傾くように蓋体２の外栓１１を動かしながら、塗布体７を底部１４の隅々まで当接させることができ、液状化粧料Ｌを十分に取ることができる（図３参照）。
【００７２】
このような他の実施形態によれば、容器本体１に蓋体２が雄螺子５及び雌螺子３０の螺合により装着されている状態では、塗布体７は、容器本体１内の液状化粧料Ｌに浸漬すると共に容器本体１の底部１４から離間した状態にあり、蓋体２を構成する外栓１１が使用者により取り外し方向Ａへ回転操作されると、弾性体１５の付勢により移動体１３の被案内部３７が案内部２５に案内されながら、移動体１３及び塗布体７が容器本体１の底部１４側へ前進し、塗布体７が容器本体１の底部１４に当接する。そして、塗布体７が容器本体１の底部１４に当接した状態で、外栓１１と内筒１２が取り外し方向へ共回りし、容器本体１の雄螺子５と内筒１２の雌螺子３０の螺合が解除されて蓋体２が容器本体１から取り外され、塗布体７が使用に供される。このように、容器本体１の底部１４から離間している塗布体７は、蓋体２の取り外しに際し前進して底部１４に当接するため、容器本体１内の液状化粧料Ｌを十分に使い切ることができる。また、塗布体７が底部１４に当接している状態において当該塗布体７に底部１４から作用する負荷は、塗布体７を底部１４側へ付勢している弾性体１５の緩衝作用により吸収されるため、塗布体７を傷めないようにすることができる。
【００７３】
より、具体的には、外栓１１は、案内部２５を有し、内筒１２は、上下方向へ延び内外を連通するスリットを有し、移動体１３は、被案内部３７が、内筒１２のスリットを通って外栓１１側へ突出し外栓１１の案内部２５に案内可能とされると共に、スリットにより内筒１２に対して軸線方向に移動可能且つ軸線周りに回転不能に係合し、外栓１１は、容器本体１に対して外栓１１が取り外し方向へ回転操作され当該外栓１１が取り外し方向へ所定量回転すると、被案内部３７が当接し取り外し方向への内筒１２との共回りを可能とするストッパ（第２の案内面）２７を有し、外栓１１が取り外し方向へ回転操作されると、移動体１３及び塗布体７は、弾性体１５の付勢により被案内部３７が案内部２５に案内されながら底部１４側へ前進し、移動体１３の被案内部３７が外栓１１のストッパ（第２の案内面）２７に当接するまでに、塗布体７が容器本体１の底部１４に当接し、さらなる外栓１１の取り外し方向への回転により、外栓１１と内筒１２が取り外し方向へ共回りし、容器本体１の雄螺子５と内筒１２の雌螺子３０の螺合が解除されて蓋体２が容器本体１から取り外され、塗布体７が使用に供されるようになっている。このため、上記作用・効果、すなわち、容器本体１の底部１４から離間している塗布体７が、蓋体２の取り外しに際し前進して底部１４に当接し、容器本体１内の液状化粧料Ｌを十分に使い切ることができると共に、塗布体７が底部１４に当接している状態において当該塗布体７に底部１４から作用する負荷は、塗布体７を底部１４側へ付勢している弾性体１５の緩衝作用により吸収され、塗布体７を傷めないようにすることができるという作用・効果を好適に奏することができる。
【００７４】
また、他の実施形態によれば、被案内部３７が外栓１１のストッパ（第２の案内面）２７に当接する前の状態で、塗布体７が容器本体１の底部１４に当接し、被案内部３７が外栓１１のストッパ（第２の案内面）２７に当接するまで移動体１３は前進せずに塗布体７はそのままの状態を維持するため、塗布体７は底部１４に当接している状態であるが潰れることはなく、塗布体７を傷めないようにすることができる。
【００７５】
また、外栓１１及び内筒１２の取り外し方向Ａへの共回りにより、雄螺子５及び雌螺子３０の螺合が解除された状態において、移動体１３及び塗布体７はさらに前方の前進限まで前進するため、前進限まで前進した塗布体７が容器本体１内において傾くように蓋体２の外栓１１が使用者により動かされることによって、塗布体７を底部１４の隅々まで当接させることができ、容器本体１内の液状化粧料Ｌを一層十分に使い切ることができる。また、容器本体１の大きさ以上に使用時の塗布体７の前進限を設定できるため、設計の自由度を高めることができ、汎用性が高い液状化粧料とすることができる。
【００７６】
以上、本発明をその実施形態に基づき具体的に説明したが、本発明は上記実施形態に限定されるものではなく、例えば、雄螺子５と雌螺子３０の組み合わせは、上記実施形態の逆でも良く、また、例えば形状を変更することにより、内周面の螺子を外周面に設け、外周面の螺子を内周面に設けることもできる。また、容器本体１と蓋体２とは、螺合部により係合するのではなく、回転により係合可能な第１、第２の係合部に代えても良い。また、第１の案内面２６は螺旋状の案内面、被案内部３７は突起に限定されるものではない。さらに、案内部２５と被案内部３７の個数は、案内部２５と被案内部３７が対を成していれば、特に限定されない。
【００７７】
また、上記実施形態では、弾性体１５を外栓１１と移動体１３との間に介在させているが、例えば内筒１２に内側に張り出す張り出し部等を設け、この張り出し部（内筒）と移動体１３との間に弾性体１５を介在させるようにしても良い。
【００７８】
また、上記実施形態においては、より好ましいとして、ストッパにより外栓１１と内筒１２との共回りを可能としているが、ストッパを設けずに、比較的硬い塗布体７が底部１４に当接し、このような当接した状態で、移動体１３を介して外栓１１と内筒１２とが共回りするようにしても良い。
【００７９】
また、上記実施形態においては、特に好ましいとして、内容物を液状化粧料Ｌとしているが、例えば、筆記用具等のインキ、糊や接着液（接着剤）等に代えることも可能であり、さらには、容器本体１内にジェル状や半固形状の内容物を収容し、当該内容物に塗布体７が進入する塗布体付き容器に対しても適用できる。
【符号の説明】
【００８０】
１…容器本体、２…蓋体、５…雄螺子（第１の係合部）、７…塗布体、１１…外栓、１２…内筒、１３…移動体、１４…底部、１５…弾性体、１８…外栓のストッパ（外栓の一部）、２１…内筒のストッパ、２５…案内部、２６…第１の案内面、２７…第２の案内面（ストッパ）、３０…雌螺子（第２の係合部）、３５…軸部、３７…被案内部（突起）、１００…液状化粧料容器（塗布体付き容器）、Ｌ…液状化粧料（内容物）。
【図１】
0006685487.tif 000002
【図２】
0006685487.tif 000003
【図３】
0006685487.tif 000004
【図４】
0006685487.tif 000005
【図５】
0006685487.tif 000006
【図６】
0006685487.tif 000007
【図７】
0006685487.tif 000008
【図８】
0006685487.tif 000009
【図９】
0006685487.tif 000010
【図１０】
0006685487.tif 000011
【図１１】
0006685487.tif 000012
【図１２】
0006685487.tif 000013
【図１３】
0006685487.tif 000014
【図１４】
0006685487.tif 000015
【図１５】
0006685487.tif 000016
【図１６】
0006685487.tif 000017
【図１７】
0006685487.tif 000018
【図１８】
0006685487.tif 000019
【図１９】
0006685487.tif 000020
【図２０】
0006685487.tif 000021
【図２１】
0006685487.tif 000022